(57)【要約】【課題】本発明の目的は、不正なＴＳを受信したとしても影響を受けないようなデジタル放送受信装置を提供する。【解決手段】多重分離部１３は、入力したＴＳに付加されるネットワーク判別ビットに基づき、ＴＳが信頼できるネットワークアドレスから取得したものか否かを判定する（Ｓ２１）。ＴＳが信頼できるネットワークアドレスから取得したものであるとき、ＴＳの分離処理を行う（Ｓ２４）。Ｓ２１でＴＳが、上記ネットワークアドレス以外から取得され、かつ制御部からの分離要求が視聴用番組情報の分離要求の時、Ｓ２４の処理に移行する。そうでなければ分離は行わない（Ｓ２３）。【選択図】図２
2008147919.tif 000002
【特許請求の範囲】
【請求項１】
有線伝送もしくは無線伝送されるＴＳ放送波を受信可能なデジタル放送受信装置において、
前記受信したＴＳ放送波が、特定の送信元から送信されたものかどうかを判別する送信元判別部と、
前記送信元判別部が、特定の送信元からのＴＳ放送波と判別した場合、該ＴＳ放送波から視聴用情報、非視聴用情報を分離、抽出して出力し、特定の送信元以外からのＴＳ放送波と判別した場合には、該ＴＳ放送波に含まれる非視聴用情報の出力を阻止する分離・抽出部と、
前記分離・抽出部から非視聴用情報が出力された場合に、該非視聴用情報に基づき、所定の情報処理を行う情報処理部と、
を備えるデジタル放送受信装置。
【請求項２】
請求項１記載のデジタル放送受信装置において、
前記視聴用情報は、ＰＡＴ情報及びＰＭＴ情報を少なくとも含むデジタル放送受信装置。
【請求項３】
請求項１記載のデジタル放送受信装置において、
前記非視聴用情報は、番組表用情報、プログラムのダウンロード情報、及びＢＭＬ情報を少なくとも含むデジタル放送受信装置。
【請求項４】
請求項１記載のデジタル放送受信装置において、
前記特定の送信元以外からのＴＳ放送波の取得を容認するかどうかをユーザが設定する設定部を更に備え、
受信されたＴＳ放送波が、前記送信元判別部によって前記特定の送信元からのものでないと判別され、かつ前記設定部によって容認しないと設定されている場合には、前記分離・抽出部が前記特定の送信元以外からのものであると判別されたＴＳ放送波については、少なくとも該ＴＳ放送波に含まれる非視聴用情報の出力を阻止するようにしたデジタル放送受信装置。
【請求項５】
請求項４記載のデジタル放送受信装置において、
前記設定部による設定が行われていない場合には、前記送信元判別部による判別の結果如何に関わらず、受信したＴＳ放送波から前記分離・抽出処理を行うようにしたデジタル放送受信装置。
【請求項６】
請求項４記載のデジタル放送受信装置において、
前記設定部によって設定がなされていない場合で、かつ特定の送信元以外からのＴＳ放送波を受信した場合にユーザにその旨を警告する警告部をさらに備えるデジタル放送受信装置。
【請求項７】
請求項１記載のＴＳ放送波は、ＭＰＥＧ２であるデジタル放送受信装置。
【発明の詳細な説明】
【技術分野】
【０００１】
本発明は、有線伝送もしくは無線伝送されるＴＳ放送波を受信可能なデジタル放送受信装置に関する。
【背景技術】
【０００２】
従来、配信元のサーバと、配信先のデジタル放送受信装置の間で、デジタル放送を送受信する手段の１つとして、ＩＰマルチキャストを利用した「ＩＰ放送」と呼ばれている放送サービスが知られている。
【０００３】
上記ＩＰ放送は、ＦＴＴＨ（Fiber To The Home）回線やＡＤＳＬ（Asymmetric Digital
Subscriber Line）回線等のブロードバンドを利用して、ＩＰ（Internet Protocol）ネットワーク（例えば、インターネット）上で、地上デジタル放送のデジタルコンテンツを提供する。そのため、上記サーバと上記デジタル放送受信装置間で、双方向デジタル放送サービスが可能である。
【０００４】
一方、特許文献１には、ネットワークのセキュリティを強固にするための技術として、ＬＡＮ（Local Area Network）やＡＴＭ（Asynchronous
Transfer Mode）網などのパケット通信技術分野において、パケット通信ネットワークの信頼性及び性能を向上させることを目的とした技術（パケット通信ネットワークシステムや、ルーティング装置や、セキュリティ制御方法等）が提案されている（例えば、特許文献１参照）。
【０００５】
【特許文献１】特許第３７２３８９６号
【発明の開示】
【発明が解決しようとする課題】
【０００６】
ところで、上記ＩＰ放送は、映像データや音声データ、及び映像／音声の視聴に必要な視聴用番組情報（例えば、ＰＡＴ（Program Association Table）やＰＭＴ（Program Map
Table））や、映像／音声の視聴には不必要な非視聴用番組情報（例えば、番組表用情報や、プログラムのダウンロード情報や、ＢＭＬ（Broadcast Markup Language）情報）、を含むトランスポートストリーム（Transport Stream：以下「ＴＳ」と言う）をＩＰパケットで送信している。なお、上記非視聴用番組情報には、上記デジタル放送受信装置を制御する制御情報も含まれている。
【０００７】
そのため、上記ＩＰ放送は、地上／ＢＳ／ＣＳ等のデジタル放送のような放送設備や放送専用回線が必要な放送と比べ、上記ネットワークに接続出来る端末を持つユーザならば、比較的容易に上記ＴＳの送信を行うことが可能である。
【０００８】
しかし、上記のように比較的容易にＴＳの送信が行えることで、問題も発生している。例えば、悪意のあるユーザによって、不正な処理（例えば、不正なプログラムのダウンロード、不正な番組購入、個人情報の流出等）を行わせるＴＳ（以下、「不正なＴＳ」と言う）が送信された場合、上記不正なＴＳを受信したデジタル放送受信装置は、異常な動作をしてしまうおそれがある。
【０００９】
そこで、上記問題を解決するために、例えば、特定のネットワークアドレス以外からの上記ＴＳの受信を全て拒否する方法が考えられたが、該方法では、受信を拒否した上記不正なＴＳの中に存在する映像データや音声データも受信できないため、映像／音声を視聴することができなくなるという問題があった。
【００１０】
従って、本発明の目的は、不正なＴＳを受信したとしても影響を受けないようなデジタル放送受信装置を提供することにある。
【課題を解決するための手段】
【００１１】
本発明の第１の観点に従うデジタル放送受信装置は、上記受信したＴＳ放送波が、特定の送信元から送信されたものかどうかを判別する送信元判別部と、上記送信元判別部が、特定の送信元からのＴＳ放送波と判別した場合、該ＴＳ放送波から視聴用情報、非視聴用情報を分離、抽出して出力し、上記送信元判別部が特定の送信元以外からのＴＳ放送波と判別した場合には、該ＴＳ放送波に含まれる非視聴用情報の出力を阻止する分離・抽出部と、上記分離・抽出部から非視聴用情報が出力された場合に、該非視聴用情報に基づき、所定の情報処理を行う情報処理部と、を備える。
【００１２】
本発明の第１の観点に係る好適な実施形態では、上記視聴用情報は、ＰＡＴ情報及びＰＭＴ情報を少なくとも含むようにしている。
【００１３】
本発明の第１の観点に係る好適な実施形態では、上記非視聴用情報は、番組表用情報、プログラムのダウンロード情報、及びＢＭＬ情報を少なくとも含むようにしている。
【００１４】
本発明の第１の観点に係る好適な実施形態では、上記特定の送信元以外からのＴＳ放送波の取得を容認するかどうかをユーザが設定する設定部を更に備え、受信されたＴＳ放送波が、上記送信元判別部によって上記特定の送信元からのものでないと判別され、かつ上記設定部によって容認しないと設定されている場合には、上記分離・抽出部が上記特定の送信元以外からのものであると判別されたＴＳ放送波については、少なくとも該ＴＳ放送波に含まれる非視聴用情報の出力を阻止するようにしている。
【００１５】
上記とは別の実施形態では、上記設定部による設定が行われていない場合には、上記送信元判別部による判別の結果如何に関わらず、受信したＴＳ放送波の分離・抽出処理を行うようにしている。
【００１６】
上記とは別の実施形態では、上記設定部によって設定がなされていない場合で、かつ特定の送信元以外からのＴＳ放送波を受信した場合にユーザにその旨を警告する警告部をさらに備える。
【００１７】
本発明の第１の観点に係る好適な実施形態では、上記ＴＳ放送波は、ＭＰＥＧ２である。
【発明の効果】
【００１８】
本発明によれば、不正なＴＳを受信したとしても影響を受けないようなデジタル放送受信装置を提供することができる。
【発明を実施するための最良の形態】
【００１９】
以下、本発明の実施の形態を、図面により詳細に説明する。
【００２０】
図１は、本発明の一実施形態に係るデジタル放送受信装置の全体構成を示す機能ブロック図である。
【００２１】
図１に示すように、デジタル放送受信装置１は、外部アンテナ２と、制御部１１と、放送受信処理部１２と、多重分離部１３と、番組情報解析部１４と、映像／音声処理部１５と、映像／音声出力端子２０と、を備える。
【００２２】
外部アンテナ２は、各放送局から放送される符号化されたデジタル放送波を受信し、受信したデジタル放送波を放送受信処理部１２に出力する。
【００２３】
放送受信処理部１２は、外部アンテナ２が受信したデジタル放送波を受け、上記デジタル放送波から、所望のチャンネルの上記デジタル放送信号を選局し、上記デジタル放送波に含まれている多重化され変調された信号（例えば、コンテンツ信号）を復調する。復調された上記コンテンツ信号は、所定の処理（例えば、誤り訂正処理）が施され、例えば、ＴＳとして多重分離部１３に出力される。
【００２４】
また、放送受信処理部１２は、通信ネットワーク３に接続されている上記配信元サーバ（図示しない）に対して、通信ネットワーク３を介して特定のチャンネルのコンテンツを含む上記ＴＳの送信要求を行い、通信ネットワーク３を介して上記配信元サーバから送信される上記ＴＳを含んだ上記ＩＰパケットを受信する。そして、放送受信処理部１２は、受信した上記ＩＰパケットに対しフィルタリング処理を行い、特定のチャンネルのコンテンツを含むＴＳだけを抽出し、多重分離部１３へ出力する。
【００２５】
なお、放送受信処理部１２は、制御部１１の制御下で、外部アンテナ２からのデジタル放送波、または、通信ネットワーク３を介して上記配信元サーバから送信される情報を選択的に受信する。
【００２６】
ところで、通信ネットワーク３は、例えば、インターネットやＬＡＮに代表されるパケット通信ネットワークである。なお、デジタル放送受信装置１は、図示しない通信インタフェースを介して、通信ネットワーク３と通信可能に接続される。
【００２７】
多重分離部１３は、制御部１１の制御下で、上記ＴＳを、例えば、映像ＥＳ（Elementary Stream）や音声ＥＳと、視聴用番組情報（例えば、ＰＭＴ（Program
Map Table）、ＰＡＴ（Program Association Table）、ＮＩＴ（Network Information Table））とに分離する。また、多重分離部１３は、制御部１１の制御下で、分離された上記視聴用番組情報を、番組情報解析部１４に出力すると共に、制御部１１からの制御信号に応じて、上記映像ＥＳや音声ＥＳを映像／音声処理部１５に出力する。
【００２８】
番組情報解析部１４は、制御部１１の制御下で、多重分離部１３から出力された上記視聴用番組情報を解析する。また、番組情報解析部１４は、上記ＴＳに含まれている、上記映像ＥＳや音声ＥＳのパケット識別子（ＰＩＤ（Packet ID））を制御部１１に通知する。
【００２９】
映像／音声処理部１５は、制御部１１の制御下で、多重分離部１３から出力された上記映像ＥＳや音声ＥＳを受け、それぞれデコードし、映像／音声等の調整や、画面位置の調整や、必要に応じて映像にＯＳＤ（On Screen Display）を重畳し、映像／音声出力端子２０を通じて、図示しないディスプレイに映像信号を、また、図示しないスピーカに音声信号をそれぞれ出力する。
【００３０】
制御部１１は、放送受信処理部１２と、多重分離部１３と、番組情報解析部１４と、映像／音声処理部１５とに制御信号を出力し、それぞれの動作を制御する。また、制御部１１は、番組情報解析部１４から通知された上記ＰＩＤを受け、多重分離部１３に、上記ＰＩＤを持つ映像ＥＳ及び音声ＥＳを、映像／音声処理部１５へ出力するように要求する。
【００３１】
さらに、図１を用いて、上記ＴＳは、特定のネットワークアドレスから取得したＴＳであるか否かを判断する際の、放送受信処理部１２の処理動作を説明する。
【００３２】
放送受信処理部１２は、例えば、特定のネットワークアドレスを示すＩＤ（ＩＰアドレスや、ＭＡＣアドレスや、ＵＲＬ等（以下、「ネットワークＩＤ」と言う））が記載されているリスト（本明細書中では、「ホワイトリスト」と言う）を記憶している。なお、放送受信処理部１２は、上記ネットワークＩＤ以外が載っているリスト（本明細書中では、「ブラックリスト」と言う）も記憶している。
【００３３】
放送受信処理部１２は、該リストを参照し、該ホワイトリストに上記ネットワークＩＤが存在するか否かを判断する。なお、本明細書中では、上記ネットワークＩＤが示す特定のネットワークアドレスを「信頼できるネットワークアドレス」、それ以外のネットワークアドレスを「信頼できないネットワークアドレス」とも言う。
【００３４】
その他にも、上記ブラックリストを参照し、該ブラックリストに、上記ネットワークＩＤ以外が存在するか否かで、上記信頼できるネットワークアドレスがどうかを判断するようにしても良い。
【００３５】
なお、上記ホワイトリストあるいはブラックリストは、放送受信処理部１２に記憶しても良いし、それ以外の適宜な箇所に記憶しておくようにしても差し支えない。
【００３６】
また、図示しない認証サーバを使用して、上記信頼できるネットワークアドレスかどうかを、上記信頼できるネットワークアドレスのネットワークアドレスかどうかの認証を行って判断するようにしても良い。また、配信元サーバとデジタル放送受信装置１とで、相互に認証キーを送受信して、上記信頼できるネットワークアドレスのネットワークアドレスかどうかの判断をするようにしても良いし、上記ＴＳに認証キーを埋め込んで上記判断を行うようにしても良い。
【００３７】
また、上記判断の結果、制御部１１の制御下で放送受信処理部１２が選局したＴＳが、信頼できないネットワークアドレスから取得したＴＳである場合には、放送受信処理部１２は、例えば、多重分離部１３へ出力するＴＳのヘッダに上記ＴＳが信頼できるネットワークアドレスのサーバから取得したものか否かを判別するビット（以下、「ネットワーク判別ビット」と言う）を立てる。
【００３８】
なお、本明細書中では、例えば、上記信頼できるネットワークアドレスのサーバから取得したＴＳの場合には、上記ネットワーク判別ビットを「０」、一方、上記信頼できないネットワークアドレスのサーバから取得したＴＳの場合には、上記ネットワーク判別ビットを「１」とする。また、放送受信処理部１２が、例えば、上記ＴＳの構造の一部である“アダプテーションフィールド”に、新たにビットを追加する処理を行うことによって、上記ネットワーク判別ビットの付与が実現する。
【００３９】
次に、多重分離部１３が、制御部１１の制御下で、上記ＴＳの分離を行う際の処理動作を、図２のフローチャートを用いて説明する。
【００４０】
多重分離部１３は、放送受信処理部１２から出力されるネットワーク判別ビットを付加されたＴＳを受けると共に、制御部１１から上記ＴＳの分離要求を受ける。
【００４１】
次に、多重分離部１３は、放送受信処理部１２から出力された上記ＴＳに付加されているネットワーク判別ビットに基づいて、上記ＴＳは信頼できるネットワークアドレスから取得したものか否かを判定する（Ｓ２１）。
【００４２】
ステップＳ２１での判定の結果、多重分離部１３が、上記ＴＳは信頼できるネットワークアドレスから取得したものであると判定した場合（Ｓ２１：Ｙｅｓ）、多重分離部１３は、上記ＴＳの分離処理を行う（Ｓ２４）。ステップＳ２１でＹｅｓの時のステップＳ２４における分離処理動作は、上記視聴用情報と上記非視聴用情報とに分離し、かつ上記視聴用情報については、映像／音声／番組情報にそれぞれ分離し、上記映像／音声情報は映像／音声処理部１５に、上記番組情報については、番組情報解析部１４にそれぞれ出力する処理を行う。これにより、図２で示した一連の処理動作は終了する。
【００４３】
一方、ステップＳ２１での判定の結果、多重分離部１３が、上記ＴＳは信頼できるネットワークアドレスから取得したものではないと判定した場合（Ｓ２１：Ｎｏ）、多重分離部１３は、制御部１１からの上記ＴＳの分離要求の内容を判断する（Ｓ２２）。
【００４４】
ステップＳ２２での判断の結果、多重分離部１３が、上記分離要求は、上記視聴用番組情報の分離要求であると判断した場合（Ｓ２２：Ｙｅｓ）、多重分離部１３は、上記ＴＳの分離処理を行う（Ｓ２４）。ステップＳ２２でＹｅｓの時のステップＳ２４における分離処理動作は、上記視聴用情報についての、映像／音声／番組情報の分離のみを行い、上記映像／音声情報は映像／音声処理部１５に、上記番組情報については、番組情報解析部１４にそれぞれ出力する処理を行う。これにより、図２で示した一連の処理動作は終了する。
【００４５】
一方、ステップＳ２２での判断の結果、多重分離部１３が、上記分離要求は、上記視聴用番組情報の分離要求ではない（つまり、上記分離要求は、非視聴用番組情報の分離要求である）と判断した場合（Ｓ２２：Ｎｏ）、多重分離部１３は、制御部１１からの制御信号に従わず、ステップＳ２４で示したいずれの分離処理も行わない（Ｓ２３）。分離処理されなかった上記ＴＳは、制御部１１からの制御信号に基づいて、映像／音声処理部１５に出力され、一連の処理動作は終了する。
【００４６】
また、制御部１１からの上記分離要求の内容が、上記ＴＳから視聴用番組情報を分離する内容であるのか否かの判断は、例えば、上記視聴用番組情報である上述したＰＡＴやＣＡＴ（Conditional Access Table）のＰＩＤ（Packet ID）からでも判断可能である。例えば、上記ＰＡＴや上記ＣＡＴの上記ＰＩＤは、固定値（例えば、ＰＡＴ：0x0000、ＣＡＴ：0x0001）であるため、上記ＰＩＤから、上記ＰＡＴや上記ＣＡＴを判断することが可能である。
【００４７】
さらに、制御部１１からの上記分離要求の内容が、上記ＴＳから上記視聴用番組情報を分離する内容であるのか否かの判断は、例えば、多重分離部１３が上記ＰＩＤ分離後に情報を取り出すためのセクション分離時に指定するテーブルＩＤ（つまり、番組情報を分離するためのＩＤ）でも判断可能である。なお、上記テーブルＩＤは、例えば、ＰＡＴ：0x00、ＣＡＴ：0x01、ＰＭＴ：0x02となっている。
【００４８】
なお、図２で示した一連の処理動作においては、上記信頼できるネットワークアドレスから取得したＴＳであるか否かの判定を、放送受信処理部１２が上記ＴＳにネットワーク判別ビットを付加することで判定した。しかし、放送受信処理部１２が判定するのではなく、制御部１１が、上記信頼できるネットワークアドレスから取得したＴＳであるか否かを判定し、多重分離部１３に上記判定結果を通知することで判定するようにしても良い。
【００４９】
また、制御部１１からの上記分離要求の内容が、上記ＴＳから視聴用番組情報を分離する内容であるのか否かの判断は、多重分離部１３が行っているが、制御部１１が、多重分離部１３に、要求内容は「視聴用番組情報を分離することである」、あるいは、「非視聴用番組情報を分離することである」との通知を行うことで対応しても良い。
【００５０】
上記判断方法としては、例えば、制御部１１が、放送受信処理部１２に対し選局要求を行う前に、制御部１１は、選局しようとしている上記ネットワークアドレスは、上記信頼できるネットワークアドレスであるか否かを判定する。なお、上記選局しようとしている上記ネットワークアドレスが信頼できるか否かの判定方法は、上述と同様に行う。
【００５１】
次に、制御部１１は、放送受信処理部１２に対し選局要求を行う際に、多重分離部１３が備える１つ以上ある入力ポートのうち、どの入力ポートに選局予定のＴＳを入力させるかを指定する。そして、放送受信処理部１２が上述したような選局処理を実行し、多重分離部１３のそれぞれの入力ポートに対して、それぞれ上記ＴＳが出力される。
【００５２】
制御部１１は、多重分離部１３に上記ＴＳの分離要求を出力する際に、それぞれの入力ポートに入力された上記ＴＳが、上記信頼できるネットワークアドレスから取得したものであるか否かの情報を、多重分離部１３に通知する。そして、多重分離部１３は、上記通知された情報に基づき、上述した図２のフローチャートに従い、上記ＴＳの分離処理を行う。
【００５３】
上述のような処理を行うことで、放送受信処理部１２が上記信頼できるネットワークアドレスから取得したＴＳであるか否かを判定するのではなく、制御部１１が、上記信頼できるネットワークアドレスから取得したＴＳであるか否かを判定することが可能である。
【００５４】
また、上述では、多重分離部１３が、上記非視聴用番組情報を使用するか否かを判断していたが、番組情報解析部１４が判断するようにしても良い。例えば、多重分離部１３から番組情報解析部１４に通知される全ての番組情報に対して、制御部１１が、上記信頼できるネットワークアドレスから取得したものか否かの情報を付与する処理を行い、該情報に基づいて、番組情報解析部１４が判断するようにしても良い。
【００５５】
デジタル放送受信装置１が、上述のような処理動作を行うことで、例えば、上記信頼できないネットワークアドレスから、上記不正なＴＳを取得したとしても、上記映像／音声ＴＳのみを使用し、上記非視聴用番組情報は使用しないようにすることができる。また、上記非視聴用番組情報を分離しない場合、上記ＴＳからの分離処理そのものを行わないことにより、上記非視聴用番組情報を処理する負荷や、上記非視聴用番組情報を保持するメモリを削減することも可能である。
【００５６】
次に、図３、図４、及び図５を用いて、本発明に係る第２の実施形態について説明する。
【００５７】
図３は、本発明の第２の実施形態に係る、デジタル放送受信装置の全体構成を示す機能ブロック図である。
【００５８】
本実施形態では、デジタル放送受信装置１に、ユーザインタフェース部３１が備えられている点で、図１で示したデジタル放送受信装置１と異なる。その他の点については図１で示した各部と同一であるので、図１と同一物には同一符号を付してそれらの詳細な説明は省略する。図３において、ユーザインタフェース部３１は、ユーザによって操作されるリモコンや、マウスや、キーボードから出力される各種指令信号を入力する。
【００５９】
本実施形態では、制御部１１が、該ＴＳに含まれる上記非視聴用番組情報の取得を許可するか否かを予めユーザに登録させる処理動作を実行する。
【００６０】
ユーザは、例えば、図３の映像／音声出力端子２０を通じて接続されている図示しないディスプレイに表示される設定画面から、図２で示した処理動作を行うための設定を選択する。
【００６１】
図４は、ＩＰ放送の受信を設定する設定画面の一例を示した図である。図４に示した例では、上記ユーザが選択した内容として、上記非視聴用番組情報の取得を「許可しない」が選択されている。上記ユーザが選択する内容は、ユーザがユーザインターフェース部３１を介して、例えば、上下キーなどで「許可する」または「許可しない」を選択することにより登録することができる。
【００６２】
次に、上記ユーザ判定に基づいて、制御部１１の制御下で多重分離部１３が行う処理動作を、図５のフローチャートを用いて説明する。
【００６３】
本実施形態では、図５で示したステップＳ５１の処理動作が新たに追加された点で図２で示したフローチャートと相違する。
【００６４】
図５において、ステップＳ５１を除く残りの各ステップについては、図２で示した各ステップと処理内容が同様であるので、図５において、図２で示したステップの同一ステップについては、同一符号を付してそれらの詳細な説明は省略する。
【００６５】
図５において、多重分離部１３は、上記分離要求を受けた後、上記取得したユーザ判定の結果を確認する（Ｓ５１）。該確認の結果、上記ユーザ設定の結果が「許可する」であれば場合（Ｓ５１：Ｙｅｓ）、ステップＳ２４で示した処理動作に移行する。一方、ユーザ判定が「処理する」でなければ（ステップＳ５１：Ｎｏ）、ステップＳ２１で示した処理動作に移行する。
【００６６】
上述した処理動作を実行することにより、上記取得したユーザ判定の結果に基づいて、上記信頼できないネットワークアドレスからの上記非視聴用番組情報を分離するかどうかを判断することが可能になる。
【００６７】
また、本実施形態においても、第１の実施形態におけると同様に、上記信頼できるネットワークアドレスから取得したＴＳであるか否かの判定を、放送受信処理部１２が判定するのではなく、制御部１１が判定し、多重分離部１３に上記判定結果を通知することで判定するようにしても良い。
【００６８】
また、上述では、多重分離部１３が、上記非視聴用番組情報を使用するか否かを判断していたが、番組情報解析部１４が判断するようにしても良い。
【００６９】
デジタル放送受信装置１が、上述のような処理動作を行うことで、例えば、上記信頼できないネットワークアドレスから、上記不正なＴＳを取得したとしても、上記映像／音声ＴＳのみを使用し、上記非視聴用番組情報は使用しないようにすることができる。また、上記非視聴用番組情報を分離しない場合、上記ＴＳからの分離処理そのものを行わないことにより、上記非視聴用番組情報を処理する負荷や、上記非視聴用番組情報を保持するメモリを削減することも可能である。
【００７０】
次に、図６及び図７を用いて、本発明に係る第３の実施形態について説明する。
【００７１】
なお、本実施形態のハード構成は、第２の実施形態で説明した図３と同様であるので、図示と詳細な説明は省略する。
【００７２】
本実施形態では、制御部１１の制御下で、放送受信処理部１２が上記信頼できないネットワークアドレスから上記ＴＳを受信した場合、該ＴＳに含まれる上記非視聴用番組情報を取得するか否かを、該ＴＳを受信したタイミングで、ユーザに選択させる処理動作について説明する。
【００７３】
ユーザは、放送受信処理部１２が、上記信頼できないネットワークアドレスから上記ＴＳを受信した場合、該ＴＳに含まれる上記非視聴用番組情報を取得するか（換言すれば、使用するか）否かを、上述した図３の映像／音声出力端子２０を通じて接続されている図示しないディスプレイに表示する。該設定画面としては、例えば、図６の画面７１がある。ユーザは、画面７１を利用して、上記信頼できないネットワークアドレスから受信した、上記非視聴用番組情報を取得するか否かの選択を行うことができる。
【００７４】
図６は、図示しないディスプレイに表示される、ユーザによる入力操作の選択画面の一例を示す。
【００７５】
図６において、上記選択画面７１は、上記信頼できないネットワークアドレスから受信した、上記非視聴用番組情報を取得するか否かを、ユーザが選択する選択設定（以下、「ユーザ設定」とも言う）を行うのに必要な画面である。
【００７６】
なお、図６で示した例では、上記非視聴用番組情報の取得を「許可しない」が選択されている。上記選択は、ユーザがユーザインターフェース部３１を介して、例えば、上下キーなどで「許可する」または「許可しない」を選択することにより、上記選択した内容がその都度、制御部１１に登録され、上記非視聴用番組情報を取得するか否かを、制御部１１が決定することができる。
【００７７】
次に、上記ユーザ判定に基づいて、制御部１１の制御下で多重分離部１３が行う処理動作を、図７のフローチャートを用いて説明する。
【００７８】
本実施形態では、図７で示したステップＳ６１の処理動作が新たに追加された点で図５で示したフローチャートと相違する。
【００７９】
図７において、ステップＳ６１を除く残りの各ステップについては、図５で示した各ステップと処理内容が同様であるので、図７において、図５で示した各ステップと同一ステップについては、同一符号を付してそれらの詳細な説明は省略する。
【００８０】
図７において、多重分離部１３は、放送受信処理部１２から出力された、上記信頼できないネットワークアドレスから取得した、上記ネットワーク判別ビットを付与した上記ＴＳを取得する。この時、上記ユーザ設定が、「許可する」でも「許可しない」でもなく、何も選択されていない状態、つまり「未設定」の場合（Ｓ６１：Ｙｅｓ）、ステップＳ２４で示した処理動作に移行する。一方、ユーザ判定が「許可する」でなければ（ステップＳ６１：Ｎｏ）、ステップＳ５１で示した処理動作に移行する。
【００８１】
デジタル放送受信装置１が、上述のような処理動作を行うことで、上記信頼できないネットワークアドレスから上記ＴＳを受信したタイミングで、ユーザに、上記信頼できないネットワークアドレスからの非視聴用番組情報を取得するかどうかを確認し、その結果により、上記非視聴用番組情報を取得するか否かを決定することができる。
【００８２】
また、上記ユーザ判定は、上記ネットワークアドレスに変更があった時点で初期化し、上記信頼できないネットワークアドレスから、上記非視聴用番組情報を含むＴＳ受信するごとにユーザ判定を確認するようにしても良い。そのためには、制御部１１が、制御部１１と多重分離部１３が記憶しているユーザ判定を、選局を行うタイミングで、初期化するようにすれば良い。
【００８３】
図８は、第３の実施形態の変形例に係る図示しないディスプレイに表示される、ユーザによる入力操作の選択画面の一例を示す。
【００８４】
図８と図６では、表示画面の一部が異なっている。図８において、上記選択画面８１は、上記信頼できないネットワークアドレスから受信した、上記非視聴用番組情報を取得するか否かを、ユーザが選択する選択設定を行うのに必要な画面である。
【００８５】
図８で示すように、上記非視聴用番組情報を含んだＴＳを受信した時点で、ユーザに、上記信頼できないネットワークからの上記非視聴用番組情報を取得するかどうかを選択させる場合に、どのネットワークアドレスから非視聴用番組情報を受信したのかを、ＩＰアドレス（図８では、「xxx.xxx.xxx.xxx」と表記）で表示するようにしても良い。
【００８６】
また、本実施形態の場合においても、第１の実施形態の場合と同様に、上記信頼できるネットワークアドレスから取得したＴＳであるか否かの判定を、放送受信処理部１２が判定するのではなく、制御部１１が判定し、多重分離部１３に上記判定結果を通知することで判定するようにしても良い。
【００８７】
また、上述では、多重分離部１３が、上記非視聴用番組情報を取得するか否かを判断していたが、番組情報解析部１４が判断するようにしても良い。
【００８８】
次に、図９及び図１０を用いて、本発明に係る第４の実施形態について説明する。
【００８９】
図９は、本発明の第４の実施形態に係る、デジタル放送受信装置の全体構成を示す機能ブロック図である。
【００９０】
本実施形態では、デジタル放送受信装置１に、ユーザ設定記憶部９１が備えられている点で、図３で示したデジタル放送受信装置１と異なる。その他の点については図３で示した各部と同一であるので、図３と同一物には同一符号を付してそれらの詳細な説明は省略する。
【００９１】
本実施形態では、制御部１１の制御下で、放送受信処理部１２が一度受信したネットワークアドレスから再度ＴＳを受信した場合、その都度、ユーザに問い合わせを行うことを防ぐために、ユーザ判定情報を記憶する処理動作について説明する。
【００９２】
まず、ユーザは、上記キーボートを操作し、第３の実施形態でも示したような上記ユーザ判定を登録する処理を行う。そして、上記ユーザ判定が登録されると、制御部１１は、ユーザ判定記憶部９１に、例えば、図１０のテーブル１０１に示すように、登録された上記ユーザ判定と上記ネットワークＩＤを関連付けて記憶させる。なお、図１０では、４つの上記ネットワークＩＤについて、上記ユーザ判定が登録されており、上記ネットワークＩＤ133.44.101.202は、上記ユーザ判定は「許可する」、上記ネットワークＩＤ166.154.101.202は、上記ユーザ判定は「許可しない」となっている。
【００９３】
次に、制御部１１は、放送受信処理部１２が選局を行う際には、ユーザ設定記憶部９１に対し、選局する上記ネットワークＩＤに対応する上記ユーザ判定が存在しているかを確認する。
【００９４】
存在しない場合には、第３の実施形態で説明した、多重分離部１３と同様の処理動作を行う。一方、上記ユーザ判定が存在する場合には、制御部１１が、ユーザ設定記憶部９１から上記ユーザ判定を取得し、取得した上記ユーザ判定を多重分離部１３に通知する。
【００９５】
なお、上記通知を受けた多重分離部１３は、第３の実施形態と同様に、図７の判定処理をおこなう際に、上記ユーザ判定として上記制御部１１から取得した上記ユーザ判定を使用する。
【００９６】
デジタル放送受信装置１が、上述のような処理動作を行うことで、制御部１１の制御下で、放送受信処理部１２が一度受信したネットワークアドレスから再度ＴＳを受信した場合、その都度、ユーザに問い合わせを行うことなく、上記ユーザ設定に従い、上記非視聴用番組情報を処理することが可能になる。さらにここで、ユーザの利便性を高めるために、ユーザ設定記憶部９１には、記憶内容を消去する手段を設けても良い。
【００９７】
また、本実施形態の場合においても、第１の実施形態の場合と同様に、上記信頼できるネットワークアドレスから取得したＴＳであるか否かの判定を、放送受信処理部１２が判定するのではなく、制御部１１が判定し、多重分離部１３に上記判定結果を通知することで判定するようにしても良い。
【００９８】
また、上述では、多重分離部１３が、上記非視聴用番組情報を取得するか否かを判断していたが、番組情報解析部１４が判断するようにしても良い。
【００９９】
以上、本発明の実施形態を説明したが、この実施形態は本発明の説明のための例示にすぎず、本発明の範囲をこの実施形態にのみ限定する趣旨ではない。本発明は、その要旨を逸脱することなく、その他の様々な態様でも実施することができる。
【図面の簡単な説明】
【０１００】
【図１】本発明の一実施形態に係るデジタル放送受信装置の全体構成を示す機能ブロック図。
【図２】図１に示した多重分離部１３が、制御部１１の制御下で、上記ＴＳの分離を行う際の処理動作を示すフローチャート。
【図３】本発明の第２の実施形態に係る、デジタル放送受信装置の全体構成を示す機能ブロック図で。
【図４】本発明の第２の実施形態で、ＩＰ放送の受信を設定する設定画面の一例を示す図。
【図５】本発明の第２の実施形態で、ユーザ判定に基づいて、制御部１１の制御下で多重分離部１３が行う処理動作を示すフローチャート。
【図６】本発明の第３の実施形態に係る、図示しないディスプレイに表示される、ユーザによる入力操作の選択画面の一例を示す図。
【図７】本発明の第３の実施形態で、ユーザ判定に基づいて、制御部１１の制御下で多重分離部１３が行う処理動作を示すフローチャート。
【図８】第３の実施形態の変形例に係る、図示しないディスプレイに表示される、ユーザによる入力操作の選択画面の一例を示す図。
【図９】本発明の第４の実施形態に係る、デジタル放送受信装置の全体構成を示す機能ブロック図。
【図１０】本発明の第４の実施形態で、ネットワークＩＤとユーザ判定が関連付けて登録されているテーブルの一例を示す図。
【符号の説明】
【０１０１】
１…デジタル放送受信装置、２…外部アンテナ、３…通信ネットワーク、１１…制御部、１２…放送受信処理部、１３…多重分離部、１４…番組情報解析部、１５…映像／音声処理部、２０…映像／音声出力端子、３１…ユーザインタフェース部、４１…設定画面、７１…設定画面、８１…設定画面、９１…ユーザ設定記憶部、１０１…テーブル。
【図１】
2008147919.tif 000003
【図２】
2008147919.tif 000004
【図３】
2008147919.tif 000005
【図４】
2008147919.tif 000006
【図５】
2008147919.tif 000007
【図６】
2008147919.tif 000008
【図７】
2008147919.tif 000009
【図８】
2008147919.tif 000010
【図９】
2008147919.tif 000011
【図１０】
2008147919.tif 000012